(57)【要約】【課題】移動手摺の開口部の拡開を容易に行うと共に、その拡開姿勢を容易に維持可能とするシンプルな構造の移動手摺保持装置を提供する。【解決手段】移動手摺１２を支持する支持ベース１４に形成された端部係合部１４ａは、移動手摺１２の開口端部１２ｂの一方側に係合する。そして、端部係合部１４ａが係合していない側の開口端部１２ｂを把持具１６で把持した後、当該把持具１６を支持ベース１４のベース面１４ｂと平行になるように倒しベルト１８で固定する。把持具１６による拡開を移動手摺１２に対し、複数箇所で行えば、移動手摺１２の開口部１２ａの所望の位置を所望の範囲で機械的に拡開することが可能になり、移動手摺１２の内面側を露出させ、メンテナンス作業をスムーズに行うことが可能になる。【選択図】図１
2005213038.tif 000002
【特許請求の範囲】
【請求項１】
乗客コンベアに用いられる断面略Ｃ字形状の移動手摺の内面側のメンテナンスを行うときに、前記移動手摺の断面略Ｃ字形状の開口部を拡開した姿勢で保持する移動手摺保持装置であって、
前記移動手摺の断面略Ｃ字形状の背面側を支持する支持ベースと、
前記移動手摺の断面略Ｃ字形状の開口端部と係合し、当該開口部を外側へ拡開可能な拡開係合部と、
前記拡開係合部が前記移動手摺を拡開した姿勢で、前記支持ベースに対し固定する固定部と、
を含むことを特徴とする移動手摺保持装置。
【請求項２】
請求項１記載の装置において、
前記支持ベースは、前記移動手摺の開口端部の一方側と係合し、少なくとも移動手摺の幅方向の移動を規制する端部係合部を有することを特徴とする移動手摺保持装置。
【請求項３】
請求項１または請求項２記載の装置において、
前記拡開係合部は、開口端部を把持して、前記開口端部を前記支持ベース側に倒す把持具であることを特徴とする移動手摺保持装置。
【請求項４】
請求項３記載の装置において、
前記把持具を固定部を介して固定している支持ベースは、移動手摺に沿って曲折する曲折部と、曲折部の所定の曲折姿勢を維持するロック部と、を有することを特徴とする移動手摺保持装置。
【請求項５】
請求項１から請求項４のいずれか一つに記載の装置において、
前記拡開係合部は、移動手摺との接触面に摺動部材を有し、移動手摺を係合した状態で当該拡開係合部が移動手摺の長さ方向に移動可能であることを特徴とする移動手摺保持装置。
【請求項６】
請求項５記載の装置において、
前記支持ベースは、移動手摺との接触面に摺動部材を有し、移動手摺を支持した状態で当該支持ベースが移動手摺の長さ方向に移動可能であることを特徴とする移動手摺保持装置。
【請求項７】
請求項６記載の装置において、
前記支持ベースは、乗客コンベアで移動手摺を移動自在に支持しているガイドレールと係合し、移動手摺の長さ方向に移動可能な係合脚を有することを特徴とする移動手摺保持装置。
【請求項８】
請求項１から請求項７のいずれか一つに記載の装置において、
前記拡開係合部を固定する固定部は、拡開係合部を着脱自在に固定するベルトであることを特徴とする移動手摺保持装置。
【発明の詳細な説明】
【技術分野】
【０００１】
本発明は、移動手摺保持装置、特に、乗客コンベアの欄干上で、ステップと同期して移動する移動手摺の内面側をメンテナンスする時に使用する移動手摺保持装置の改良に関する。
【背景技術】
【０００２】
周知のように、乗客コンベア（例えば、エスカレータ）においては、乗口と降口との間を無端状に連結されたステップが移動している。また、ステップの移動方向に沿って、ステップの両側部に立設された欄干上には、ステップとほぼ等速で走行する無端状の移動手摺が配置されている。
【０００３】
この移動手摺は、一般にキャンバス材等を積層したものを樹脂や接着剤で固め、表面をゴム材等でコーティングして形成されている。この移動手摺は、断面略Ｃ字形状を呈し、欄干上に配置されたガイドレールを断面略Ｃ字形状の開口部でくわえ込むような状態で取り付けられている。そして、欄干等に内蔵された駆動装置によってガイドレール上を摺動状態で移動している。従って、移動手摺は、表面側よりむしろ内面側の摩耗や破損が起こり易く、定期的に補修や点検作業が必要になる。
【０００４】
補修点検作業を行う場合、移動手摺は欄干から外され裏返される。つまり、断面略Ｃ字形状の開口部が露出するようにされる。前述したように、移動手摺は無端状であり、またキャンバス材を積層し固めたもので重量が重く不安定あるため、取り外した移動手摺は、一般にステップ上におかれ、そこで補修点検作業が行われていた。その結果、作業者はステップ上で屈んだ姿勢で作業を行うことを強いられ、作業がしづらく作業効率が悪いと共に、また、前述したような作業姿勢は、肉体的疲労を促進してしまうという問題があった。
【０００５】
そこで、例えば、欄干から外した移動手摺を裏返した状態で欄干上で支持可能にする移動手摺固定装置が提案されている。この装置は、欄干上に形成された移動手摺をガイド支持するガイドレールに固定装置の作業台部分を取り付け、裏返した移動手摺を支持すると共に、作業台上で裏返された移動手摺を上側から作業台に固定された開閉自在な固定手段により覆うように固定するものである（例えば、特許文献１参照）。
【０００６】
【特許文献１】特開２０００−３４０８９号公報
【発明の開示】
【発明が解決しようとする課題】
【０００７】
しかし、前述したように、移動手摺は断面略Ｃ字形状を呈し、内面側の補修点検を行う場合には、断面略Ｃ字形状の開口部を押し広げ、移動手摺の内面を露出させた状態で作業を行う必要がある。この時、破損部や摩耗部を補修する場合、カッター等で破損／摩耗部分のキャンバス材を切り取り、新たなキャンバス材を貼り付ける等の作業を行うことになる。前述したような移動手摺固定装置を用いることにより、移動手摺を欄干上で安定した姿勢で支持することができるが、スムーズな作業を行うためには、移動手摺の開口部を拡開姿勢で維持する必要が生じる。そのため、従来は、やっとこやプライヤ等の工具を用いて作業者が開口部の拡開を行い、拡開された部分に対し他の作業者が前述したようなキャンバス材の補修作業を行っていた。
【０００８】
その結果、拡開だけのための作業工数がかかる。また、人手による拡開作業は労力を要すると共に、拡開作業中の拡開状態が安定せず、補修ミスや補修が必要な部分を見落とし易い等作業の質が安定しなかったり、スムーズな作業の妨げになっていた。また、従来の移動手摺固定装置は、移動手摺の固定を良好に行うことができるが、構造が複雑であると共に、重量が重く取扱い性が低いという問題があった。また、無端状の移動手摺の全長にわたり作業をするためには、固定部分の着脱作業を繰り返す必要があり、作業が煩雑になるという問題を有していた。
【０００９】
本発明は、上述のような課題の少なくとも一つを解決するためになされたものであり、その目的は、移動手摺の開口部の拡開を容易に行うと共に、その拡開姿勢を容易に維持可能な移動手摺保持装置を提供することを目的とする。また、そのような拡開する位置を移動手摺の全長に対して容易に移動することのできるシンプルな構造の移動手摺保持装置を提供することを目的とする。
【課題を解決するための手段】
【００１０】
上記課題を解決するために、本発明は、乗客コンベアに用いられる断面略Ｃ字形状の移動手摺の内面側のメンテナンスを行うときに、前記移動手摺の断面略Ｃ字形状の開口部を拡開した姿勢で保持する移動手摺保持装置であって、前記移動手摺の断面略Ｃ字形状の背面側を支持する支持ベースと、前記移動手摺の断面略Ｃ字形状の開口端部と係合し、当該開口部を外側へ拡開可能な拡開係合部と、前記拡開係合部が前記移動手摺を拡開した姿勢で、前記支持ベースに対し固定する固定部と、を含むことを特徴とする。
【００１１】
この構成によれば、移動手摺の開口部を機械的に拡開した姿勢で保持することができるので、移動手摺の内面のメンテナンス作業を少人数（例えば一人）で容易に行うことができる。また、拡開係合部により拡開を機械的に行うので、移動手摺の全長に対し、安定した拡開姿勢の維持が容易になり、移動手摺の内面のメンテナンス作業を安定的に行うことができる。
【００１２】
また、上記課題を解決するために、上記構成において、前記支持ベースは、前記移動手摺の開口端部の一方側と係合し、少なくとも移動手摺の幅方向の移動を規制する端部係合部を有することを特徴とする。
【００１３】
ここで、端部係合部として、例えば、開口端部に引っかかる突起形状のものや鈎状のものが採用できる。
【００１４】
この構成によれば、拡開係合部は、開口部を一方側に拡開するのみでよいので、拡開動作が単純になり、安定した拡開を行うことができる。
【００１５】
また、上記課題を解決するために、上記構成において、前記拡開係合部は、開口端部を把持して、前記開口端部を前記支持ベース側に倒す把持具であることを特徴とする。
【００１６】
ここで、把持具とは、把持状態を維持するロック構造を有する、例えばバイスプライヤ等が望ましいが、把持状態の維持ができれば、把持具本体とロック構造が別体でもよい。この構成によれば、容易に開口部の拡開を行うことができる。
【００１７】
また、上記課題を解決するために、上記構成において、前記把持具を固定部を介して固定している支持ベースは、移動手摺に沿って曲折する曲折部と、曲折部の所定の曲折姿勢を維持するロック部と、を有することを特徴とする。
【００１８】
ここで、所定の曲折姿勢とは、移動手摺のメンテナンス作業が可能な角度に把持具の姿勢に対応した角度であり、移動手摺を支持している部分面に対し水平でもよいし、傾斜していてもよい。例えば、支持ベースは、２分割され、蝶番等で曲折自在に構成されてもよいし、接続部を可撓性部材で構成してもよい。また、ロック部は、開口部の拡開時の復元力を上回る保持力を有するロック構造であれば任意であり、例えば２分割された支持ベースを両方に係合するシャフトや一定の角度で固定されるフック等を用いることができる。
【００１９】
この構成によれば、支持ベースの曲折した状態で、拡開前の開口端部を把持具により把持し、その後、支持ベースを所定の曲折姿勢まで曲折することより、開口部を拡開する。この時、把持具を固定した側の支持ベースはある程度面積を有するので曲折による拡開を小さな力で容易に行うことができる。特に、把持具を複数用いる場合（拡開する範囲にもよるが、間隔を空けた２個以上が好ましい）、拡開動作を迅速かつ容易に行うことができる。
【００２０】
また、上記課題を解決するために、上記構成において、前記拡開係合部は、移動手摺との接触面に摺動部材を有し、移動手摺を係合した状態で当該拡開係合部が移動手摺の長さ方向に移動可能であることを特徴とする。
【００２１】
また、上記課題を解決するために、上記構成において、前記支持ベースは、移動手摺との接触面に摺動部材を有し、移動手摺を支持した状態で当該支持ベースが移動手摺の長さ方向に移動可能であることを特徴とする。
【００２２】
また、上記課題を解決するために、上記構成において、前記支持ベースは、乗客コンベアで移動手摺を移動自在に支持しているガイドレールと係合し、移動手摺の長さ方向に移動可能な係合脚を有することを特徴とする。
【００２３】
前述したように、移動手摺は、無端状であり、全長に対してメンテナンス作業を施す必要があるが、拡開する部分は一作業者が作業を行えるだけの範囲でよく、その拡開範囲を順次移動できるようになっていればよい。この時、摺動部材は、例えば、転動自在なボール状のものや移動手摺の長さ方向に回転自在なローラ等を用いることができる。また、必要に応じて支持ベースの裏面に係合脚を設けることにより、メンテナンス作業を欄干上で行う場合も、容易に拡開位置の移動を行うことができる。さらに、係合脚に摺動部材を配置することにより、よりスムーズに拡開位置の移動ができると共に、欄干上における作業が安定する。
【００２４】
この構成によれば、移動手摺の全長に対して、容易に拡開作業を行い移動手摺のメンテナンスを容易に行うことができる。
【００２５】
また、上記課題を解決するために、上記構成において、前記拡開係合部を固定する固定部は、拡開係合部を着脱自在に固定するベルトであることを特徴とする。
【００２６】
ここで、ベルトとは、例えばベルト金具やバックルや面ファスナーで固定可能なものが利用可能である。この場合、移動手摺の形態、例えば厚みや硬さ等に応じて、適した能力を有する拡開係合部の利用が可能になり、保持装置の汎用性を向上させることができる。
【発明を実施するための最良の形態】
【００２７】
以下、本発明を実施するための好適な形態（以下、実施形態という）を図面に基づき説明する。
【００２８】
図１は、本実施形態の移動手摺保持装置１０の基本構成を示す斜視図である。本実施形態の移動手摺保持装置１０は、乗客コンベア（例えば、エスカレータ）の移動手摺１２をエスカレータにおける使用時とは逆の状態で支持する支持ベース１４を有している。前述したように、移動手摺１２は、キャンバス材等を積層したものを樹脂や接着剤で固め、表面をゴム材等でコーティングして形成したもので、断面略Ｃ字形状を呈している。この移動手摺１２の開口部１２ａは拡開可能であり、実際にエスカレータで使用される場合は、エスカレータの走行するステップの両側に立設された欄干上に配置されたガイドレールを開口部１２ａを介してＣ字形状内側に挿入し当該ガイドレールを覆うように装着される。もちろん、装着後は、拡開された断面略Ｃ字形状は復元しガイドレールから移動手摺１２が脱落することを防止している。
【００２９】
また、移動手摺保持装置１０は、移動手摺１２のメンテナンス、例えば、前述したように移動手摺１２の走行による内面側の摩耗や破損の発見作業や補修作業のために、開口部１２ａを強制的に外側へ拡開する拡開係合部としての把持具１６を有している。この把持具１６は、開口部１２ａの開口端部１２ｂを把持し、その状態を強固に維持するロック機構を有するものが望ましい。例えば、バイスプライヤ等が利用できる。また、支持ベース１４には、開口部１２ａを拡開した姿勢の把持具１６を固定する固定部として、ベルト１８がビス等により固定されている。図１の例では、ベルト１８は、ベルト金具１８ａにより、良好な締付け状態を維持できるようになっている。もちろん、ベルト金具１８ａに代えてバックルや面ファスナーを用いてもよい。また、ベルト１８の締付けにより把持具１６の把持状態を強固に維持できれば、把持具１６自体がロック機構を有する必要はなく、通常のやっとこやプライヤ等を用いることもできる。
【００３０】
図２には、把持具１６が装着される前の支持ベース１４の斜視図が示されている。支持ベース１４は、図１，図２に示すように、移動手摺１２の開口端部１２ｂの一方側と係合し、少なくとも移動手摺１２の幅方向の移動を規制する端部係合部１４ａを有している。本実施形態の場合、断面略Ｌ字形状の鈎形状を採用している。もちろん、この形状は、開口端部１２ｂを保持できる形状であれば任意であり、突起形状のものでもよい。また、図１、図２の場合、支持ベース１４と全幅と同じ幅の端部係合部１４ａを示しているが、機能的には移動手摺１２の支持ができれば十分であり、例えば、２〜３箇所に分割された小幅の端部係合部としてもよい。
【００３１】
なお、移動手摺１２と端部係合部１４ａとを係合させる場合、支持ベース１４或いは移動手摺１２のいずれかを斜めにした後、図１，２に示すように水平にすることにより容易に係合させることができる。もちろん、端部係合部１４ａを支持ベース１４のベース面１４ｂに対し、上下可能とすることにより、端部係合部１４ａによる開口端部１２ｂの係合を容易に行うことが可能となる。この場合、端部係合部１４ａを図１，２の状態に維持するようなロック機構を備えることが好ましい。ロック機構は、ねじを用いたものやフックを用いたもの、スプリング等の付勢手段を用いるもの等が使用できる。
【００３２】
メンテナンス作業者は、端部係合部１４ａが係合していない側の開口端部１２ｂを図１に示すように、把持具１６で把持した後、当該把持具１６を支持ベース１４のベース面１４ｂと平行になるように倒しベルト１８で固定する。この作業を移動手摺１２に対し、例えば２箇所で行えば、図１に示すように移動手摺１２の開口部１２ａの所望の位置を所望の範囲を有して拡開することが可能になり、移動手摺１２の内面側を露出させ、メンテナンス作業をスムーズに行うことが可能になる。
【００３３】
このように、移動手摺保持装置１０を用いて移動手摺１２の開口部１２ａを機械的に拡開させることにより、メンテナンス作業者が単独でメンテナンス作業を容易に行うことができる。また、移動手摺保持装置１０の利用により常時安定した拡開状態を確保することができるので、作業バラツキも抑制することができる。また、図１から明らかなように移動手摺保持装置１０は支持ベース１４及び把持具１６、ベルト１８で構成される至ってシンプルな構造であるため、軽量であり取り扱いが容易である。また、把持具１６をベルト１８で固定する構成にしているので、メンテナンス対象である移動手摺の形態、つまり厚みや幅、剛性等に応じて適切な把持作業を行うことのできる異なる形状、大きさの把持具１６を適宜選択装着することが可能である。その結果、移動手摺保持装置１０の汎用性を容易に向上させることができる。
【００３４】
図３には、移動手摺１２の開口部１２ａの拡開作業をさらに容易に行うことのできる移動手摺保持装置２０の斜視図が示されている。移動手摺保持装置２０は、支持ベース２２以外、基本的な構成は、図１に示す移動手摺保持装置１０と同じであり、同一の部材には同一の符号を付しその説明を省略する。
【００３５】
図３に示すように、移動手摺保持装置２０の支持ベース２２は、移動手摺１２に沿って曲折する曲折部２６を有すると共に、曲折部２６の所定曲折状態を維持するロック部を有している。図３の場合、曲折部２６は、２つに分離された支持ベース２２ａ，２２ｂを例えば蝶番２６ａで連結して構成している。
【００３６】
支持ベース２２ａ，２２ｂに分割することにより、図４に示すように、把持具１６で開口端部１２ｂを把持しただけの状態、つまり、移動手摺１２の剛性に反して拡開動作をする前の状態で、把持具１６をベルト１８で支持ベース２２に固定することができる。すなわち、把持具１６のベルト１８による固定を容易に行うことができる。そして、把持具１６のベルト１８による固定が完了した時点で、例えばハンドル２４等を用いて、図４の状態から図３の状態になるように曲折部２６の曲折状態を変化させる。すなわち、移動手摺１２の開口部を拡開するように、支持ベース２２ａ，２２ｂを水平状態にする。この時、移動手摺１２の剛性に反した復元力が生じるため所望の曲折状態（図３の場合水平状態）を維持するために支持ベース２２はロック部２８を有している。このロック部２８は、例えば、ハンドル２４にロックバー２８ａを連設し、当該ロックバー２８ａが支持ベース２２ａの中をスライドし、ハンドル２４の押し込み時には、ロックバー２８ａが支持ベース２２ａから突出し、支持ベース２２ｂ側に形成されたロック穴２８ｂに挿入されロック状態を維持できるようにするものを採用することができる。もちろん、支持ベース２２の所望の曲折状態を維持し、開口部１２ａの拡開時の復元力を上回る保持力を有するロック機構であれば適宜採用可能であり、例えば、フック式のロックやホルダー式のロック機構でもよい。なお、本実施形態では、図３に示すように拡開完了状態を支持ベース２２ａが支持ベース２２ｂと水平になる状態としているが、必要に応じて、水平を越えたり、逆に水平に至る前に完了させてもよい。
【００３７】
このように、拡開動作を支持ベース２２ａで行うことにより、てこの原理で拡開を小さな力で行うことが可能になると共に、一度に複数箇所（図３の場合２箇所）に対する拡開を一動作で行うことが可能になり、移動手摺１２の開口部１２ａの拡開作業が容易になり作業効率を向上することができる。
【００３８】
ところで、移動手摺１２のメンテナンスは、移動手摺１２の全長にわたり順次行う必要がある。その場合、拡開部分毎に把持具１６の付け替えを行うことも考えられるが、作業効率が低下する。そこで、本実施形態では、図５に示すように、移動手摺１２の開口部１２ａの開口端部１２ｂと実際に接触する把持具１６の把持部１６ａに、移動手摺１２を把持（係合）した状態で把持具１６が移動手摺１２の長さ方向に移動することを可能にする摺動部材を設けている。図５の場合、その一例として転動自在な球体３０が摺動部材として用いられている。つまり、球体３０の回転により把持具１６は、移動手摺１２を把持した状態で、移動手摺１２の長さ方向に任意に移動し、拡開位置を変更することが可能になる。なお、支持ベース１４，２２等は樹脂ボードや金属ボードで構成することが好ましく、その表面を滑らかにしておくことにより（必要に応じて表面処理加工を施してもよい）、拡開位置の移動をスムーズに行うことができる。また、さらに、図６に示すように、支持ベース１４，２２において移動手摺１２と接触する部分に、摺動部材として球体３０等を配置することにより、拡開位置の移動をさらにスムーズに行うことができる。なお、図６では、開口端部１２ｂが接触する部分のみ図示しているが、例えば、移動手摺１２の背面が接触する部分にも摺動部材を配置することが好ましい。
【００３９】
なお、本実施形態の移動手摺保持装置１０，２０は移動手摺１２がエスカレータのステップ上に置かれている場合でも利用可であり、上述したような効果を得ることができる、前述したように、移動手摺１２のメンテナンスをエスカレータの欄干上で行うことができれば、作業姿勢等が楽になり作業効率が向上する。従って、例えば、図４に示すように、支持ベース２２の下面にエスカレータの欄干上に設けられた移動手摺１２用のガイドレールに係合可能な係合脚３２を設ければ、容易に欄干上でメンテナンス作業を行うことが可能になる。なお、係合脚３２は図４に示すように、例えば、スプリング等を用いた開閉自在な構成にしておけば着脱作業が容易になる。また、図５、図６で述べたように、移動手摺保持装置１０，２０を拡開位置変更可能な構成にする場合、係合脚３２にも摺動部材として、例えば球体を設けることにより、スムーズな拡開位置の変更を行うことができる。
【００４０】
なお、上述した摺動部材として、例えばローラ状のものでもよいし、移動手摺１２との接触面積を低減する突起状のものでもよい。
【００４１】
なお、上述した実施形態においては、把持具１６は、ベルト１８により支持ベース１４，２２に固定した例を示したが、把持具１６を支持ベース１４，２２に固定する手段は任意であり、把持具１６側に固定手段を付けてもよい。例えば、把持具１６にロック用のキーを形成し、支持ベース１４，２２側にキー溝を形成しておいてもよい。また、図３，４に示す曲折部２６は、蝶番２６ａを用いて曲折自在としたが、支持ベース２２ａ，２２ｂの接続を可撓性部材で行って曲折自在としてもよい。
【００４２】
また、本実施形態で示した移動手摺保持装置の構造は、一例であり、支持ベース上に移動手摺の開口部を拡開する拡開係合部と拡開動作を行っている拡開係合部を支持ベース側に固定する固定部を有する構成であれば、その構造を適宜変更可能であり、本実施形態と同様な効果を得ることができる。
【図面の簡単な説明】
【００４３】
【図１】本発明の実施の形態に係る移動手摺保持装置の構成を説明する斜視図である。
【図２】図１の移動手摺保持装置において、把持具装着前の状態を説明する説明図である。
【図３】本発明の実施の形態に係る移動手摺保持装置の他の構成を説明する斜視図である。
【図４】図４の移動手摺保持装置において、拡開動作前の把持具による移動手摺の把持状態を説明する説明図である。
【図５】本発明の実施の形態に係る移動手摺保持装置における把持具の把持部の形状例を説明する説明図である。
【図６】本発明の実施の形態に係る移動手摺保持装置における支持ベースの形状例を説明する説明図である。
【符号の説明】
【００４４】
１０，２０  移動手摺保持装置、１２  移動手摺、１２ａ  開口部、１２ｂ  開口端部、１４，２２，２２ａ，２２ｂ  支持ベース、１４ａ  端部係合部、１４ｂ  ベース面、１６  把持具、１６ａ  把持部、１８  ベルト、１８ａ  ベルト金具、２４  ハンドル、２６  曲折部、２６ａ  蝶番、２８  ロック部、２８ａ  ロックバー、２８ｂ  ロック穴、３０  球体、３２  係合脚。
【図１】
2005213038.tif 000003
【図２】
2005213038.tif 000004
【図３】
2005213038.tif 000005
【図４】
2005213038.tif 000006
【図５】
2005213038.tif 000007
【図６】
2005213038.tif 000008